(57)【要約】【課題】一般に普及している屋根材としての金属板に最小限の加工の手間を施すだけで、通気層に溜まった湿気を排気させることができる金属板葺き屋根を提供すること。【解決手段】一端に水平方向に設けられた嵌め込み用凸部１４と他端寄りに水平方向に設けられた嵌め込み用凹部１６とを有する金属板１２を複数枚用い、一方の金属板１２の嵌め込み用凸部１４の先端部１８を他方の金属板１２ａの嵌め込み用凹部１６の最奥部２０まで水平方向に嵌め込み、一方の金属板１２の嵌め込み用凸部１４の先端部１８と他方の金属板１２ａの嵌め込み用凹部１６の最奥部２０とを接触させ、連結し、屋根下地材２２上に固定した金属板の横葺き屋根であって、一方の金属板１２の嵌め込み用凸部１４の一部に孔３４を設けたことを特徴とするもの。【選択図】図３
2020200667.tif 000002
【特許請求の範囲】
【請求項１】
一端に水平方向に設けられた嵌め込み用凸部と他端寄りに水平方向に設けられた嵌め込み用凹部とを有する金属板を複数枚用い、一方の金属板の嵌め込み用凸部の先端部を他方の金属板の嵌め込み用凹部の最奥部まで水平方向に嵌め込み、一方の金属板の嵌め込み用凸部の先端部と他方の金属板の嵌め込み用凹部の最奥部とを接触させ、連結し、屋根下地材上に固定した金属板の横葺き屋根であって、
一方の金属板の嵌め込み用凸部の一部に孔を設けたことを特徴とするもの。
【請求項２】
請求項１記載の金属板の横葺き屋根であって、
垂直方向に、一方の金属板の嵌め込み用凸部と他方の金属板の嵌め込み用凹部の上部とが重なる範囲において、
前記孔を設けたことを特徴とするもの。
【請求項３】
一端に水平方向に設けられた嵌め込み用凸部と他端寄りに水平方向に設けられた嵌め込み用凹部とを有する金属板を複数枚用い、一方の金属板の嵌め込み用凸部の先端部を他方の金属板の嵌め込み用凹部の最奥部まで水平方向に嵌め込み、一方の金属板の嵌め込み用凸部の先端部と他方の金属板の嵌め込み用凹部の最奥部とを接触させ、連結し、屋根下地材上に固定した金属板の横葺き屋根であって、
一方の金属板の嵌め込み用凸部の先端部の一部に切欠きを設けたことを特徴とするもの。
【請求項４】
請求項１、２、又は３の金属板の横葺き屋根であって、
前記金属板の裏面に断熱材が設けられたことを特徴とするもの。
【請求項５】
請求項４の金属板の横葺き屋根であって、
前記断熱材に、前記屋根下地材側に向けた複数の凸体が、点状に、又は軒棟方向に連続して、設けられたことを特徴とするもの。
【請求項６】
請求項４の金属板の横葺き屋根であって、
前記屋根下地材の表面に複数の凸体が、点状に、又は軒棟方向に連続して、設けられたことを特徴とするもの。
【請求項７】
請求項４の金属板の横葺き屋根であって、
前記屋根下地材上に、結び目を備えた網を敷いたことを特徴とするもの。
【請求項８】
請求項４の金属板の横葺き屋根であって、
前記屋根下地材上に、不織布からなる網を敷いたことを特徴とするもの。
【請求項９】
一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、
他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、
を有する金属板を複数枚用い、
一方の金属板の嵌め込み用凹部を他方の金属板の嵌め込み用凸部に垂直方向に嵌め込み、
一方の金属板の嵌め込み用凹部の第一のくびれ部と他方の金属板の嵌め込み用凸部の第三のくびれ部とを密着させると同時に、
一方の金属板の嵌め込み用凹部の第二のくびれ部と他方の金属板の嵌め込み用凸部の第四のくびれ部とを密着させ、
更に一方の金属板の裏側に対して他方の金属板の第二の水返し部の上部を密着又は近接させて配置し、
連結することによって、屋根下地材上に固定した金属板の縦葺き屋根であって、
一方の金属板の嵌め込み用凹部の頭頂部から両側の下方に続く側面部にかけた任意の場所に孔を設けると同時に、
他方の金属板の嵌め込み用凸部の頭頂部から両側の下方に続く側面部にかけた任意の場所に孔を設けたことを特徴とするもの。
【請求項１０】
請求項９の金属板の縦葺き屋根であって、
前記一方の金属板の嵌め込み用凹部の前記孔が設けられた場所を覆うためのカバーを、
前記一方の金属板の嵌め込み用凹部との間に隙間を設けて、前記一方の金属板の嵌め込み用凹部に取り付けたことを特徴とするもの。
【請求項１１】
請求項９又は１０の金属板の縦葺き屋根であって、
前記屋根下地材の表面に複数の凸体が点状に設けられたことを特徴とするもの。
【請求項１２】
請求項９又は１０の金属板の縦葺き屋根であって、
前記屋根下地材上に、結び目を備えた網を敷いたことを特徴とするもの。
【請求項１３】
請求項９又は１０の金属板の縦葺き屋根であって、
前記屋根下地材上に、不織布からなる網を敷いたことを特徴とするもの。
【発明の詳細な説明】
【技術分野】
【０００１】
本発明は、金属板からなる屋根材と屋根下地材との間の空間（「通気層」という。以下同じ。）に溜まった湿気を排気させることができる金属板葺き屋根に関する。
【背景技術】
【０００２】
一般的に、金属板葺き屋根は気密性が高く、通気層への雨水の浸入は、ほとんどない。
例えあったとしても、雨水の浸入は、僅かである。
しかし、その反面、いったん、金属板から侵入した僅かな雨水は、通気層から抜けにくい。
さらに、金属板葺き屋根の通気層は、気密性が高いことから通気が少ないため、金属板から侵入した僅かな雨水を含んだ湿気や、野地板を通じて上がってきた湿気などが溜まりやすい。
さらに、湿気が溜まった通気層においては、日射、放射冷却などの影響を受けた金属板の温度と通気層の温度との差により発生する金属板裏面の結露も発生しやすい。
【０００３】
従来の技術として、外気を取り入れるための外気取入部を備えたアルミ押出成形材からなる軒先材と、軒側に挿入片と棟側に外気を流通させるための通気部を有する支持脚を備えたアルミ押出成形材からなる屋根材と、取り入れた外気を外へ排気させるための通気口を備えたアルミ押出成形材からなる棟部材と、を連結し、屋根に葺いた金属板葺き屋根がある（例えば、特許文献１参照）。
【０００４】
従来の技術は、一般的に、野地板上に敷かれたルーフィングからなる屋根下地材の上に９ｍｍ程度以上の通気層を設ける「屋根通気工法」と呼ばれるものを基礎としたものであり、軒先材の外気取入部から外気を取り入れ、屋根材の通気部を通して通気層に外気を流通させ、棟部材の通気口から取り入れた外気を外へ排気させることにより、通気層の湿気を取り払い、乾燥させることができた。
つまり、軒先部から屋根材の下を通じて棟部に抜ける外気の通り道を作って通気層を乾燥させることができた。
【０００５】
しかし、従来の技術は、屋根材だけでなく、軒先材や棟部材までもの屋根用資材全般が、その製造に大変な加工の手間がかかる特殊な形状のものばかりであるため、一般に普及している金属板からなる屋根材と比べ、製造コストが高いものとなるおそれがあった。
【先行技術文献】
【特許文献】
【０００６】
【特許文献１】特開平１０−１５２９５７号公報
【発明の概要】
【発明が解決しようとする課題】
【０００７】
本発明は、一般に普及している屋根材としての金属板に最小限の加工の手間を施すだけで、通気層に溜まった湿気を排気させることができる金属板葺き屋根を提供することである。
【課題を解決するための手段】
【０００８】
本発明の第１の課題解決手段は、一端に水平方向に設けられた嵌め込み用凸部と他端寄りに水平方向に設けられた嵌め込み用凹部とを有する金属板を複数枚用い、一方の金属板の嵌め込み用凸部の先端部を他方の金属板の嵌め込み用凹部の最奥部まで水平方向に嵌め込み、一方の金属板の嵌め込み用凸部の先端部と他方の金属板の嵌め込み用凹部の最奥部とを接触させ、連結し、屋根下地材上に固定した金属板の横葺き屋根であって、一方の金属板の嵌め込み用凸部の一部に孔を設けたことを特徴とするものである。
【０００９】
本発明の第２の課題解決手段は、第１の課題解決手段の金属板の横葺き屋根であって、  垂直方向に、一方の金属板の嵌め込み用凸部と他方の金属板の嵌め込み用凹部の上部とが重なる範囲において、前記孔を設けたことを特徴とするものである。
【００１０】
本発明の第３の課題解決手段は、第１の課題解決手段と同じ前提の金属板の横葺き屋根であって、一方の金属板の嵌め込み用凸部の先端部の一部に切欠きを設けたことを特徴とするものである。
【００１１】
本発明の第４の課題解決手段は、第１、２、又は３の課題解決手段の金属板の横葺き屋根であって、前記金属板の裏面に断熱材が設けられたことを特徴とするものである。
【００１２】
本発明の第５の課題解決手段は、第４の課題解決手段の金属板の横葺き屋根であって、前記断熱材に、前記屋根下地材側に向けた複数の凸体が、点状に、又は軒棟方向に連続して、設けられたことを特徴とするものである。
【００１３】
本発明の第６の課題解決手段は、第４の課題解決手段の金属板の横葺き屋根であって、前記屋根下地材の表面に複数の凸体が、点状に、又は軒棟方向に連続して、設けられたことを特徴とするものである。
【００１４】
本発明の第７の課題解決手段は、第４の課題解決手段の金属板の横葺き屋根であって、前記屋根下地材上に、結び目を備えた網を敷いたことを特徴とするものである。
【００１５】
本発明の第８の課題解決手段は、第４の課題解決手段の金属板の横葺き屋根であって、前記屋根下地材上に、不織布からなる網を敷いたことを特徴とするものである。
【００１６】
本発明の第９の課題解決手段は、一端に垂直方向に設けられ、頭頂部と、頭頂部から両側の下方に続く側面部と、一側の側面部の下方に続く第一のくびれ部と他側の側面部の下方に続く第二のくびれ部とを備え、かつ、第一のくびれ部から更に下方に伸びた第一の水返し部とを備えた略楔形の嵌め込み用凹部と、他端に垂直方向に設けられ、頭頂部と、頭頂部から両側の下方に続く側面部と、一側の側面部の下方に続く第三のくびれ部と他側の側面部の下方に続く第四のくびれ部とを備えた略楔形であり、かつ、第四のくびれ部から更に下方に直角線状に伸びた第二の水返し部とを備えた嵌め込み用凸部と、を有する金属板を複数枚用い、一方の金属板の嵌め込み用凹部を他方の金属板の嵌め込み用凸部に垂直方向に嵌め込み、一方の金属板の嵌め込み用凹部の第一のくびれ部と他方の金属板の嵌め込み用凸部の第三のくびれ部とを密着させると同時に、一方の金属板の嵌め込み用凹部の第二のくびれ部と他方の金属板の嵌め込み用凸部の第四のくびれ部とを密着させ、更に一方の金属板の裏側に対して他方の金属板の第二の水返し部の上部を密着又は近接させて配置し、連結することによって、屋根下地材上に固定した金属板の縦葺き屋根であって、一方の金属板の嵌め込み用凹部の頭頂部から両側の下方に続く側面部にかけた任意の場所に孔を設けると同時に、他方の金属板の嵌め込み用凸部の頭頂部から両側の下方に続く側面部にかけた任意の場所に孔を設けたことを特徴とするものである。
【００１７】
本発明の第１０の課題解決手段は、第９の課題解決手段の金属板の縦葺き屋根であって、  前記一方の金属板の嵌め込み用凹部の前記孔が設けられた場所を覆うためのカバーを、前記一方の金属板の嵌め込み用凹部との間に隙間を設けて、前記一方の金属板の嵌め込み用凹部に取り付けたことを特徴とするものである。
【００１８】
本発明の第１１の課題解決手段は、第９又は１０の課題解決手段の金属板の縦葺き屋根であって、前記屋根下地材の表面に複数の凸体が点状に設けられたことを特徴とするものである。
【００１９】
本発明の第１２の課題解決手段は、第９又は１０の課題解決手段の金属板の縦葺き屋根であって、前記屋根下地材上に、結び目を備えた網を敷いたことを特徴とするものである。
【００２０】
本発明の第１３の課題解決手段は、第９又は１０の課題解決手段の金属板の縦葺き屋根であって、前記屋根下地材上に、不織布からなる網を敷いたことを特徴とするものである。
【発明の効果】
【００２１】
本発明の第１〜１３の課題解決手段は、例え通気が少なくても（積極的に空気の流れの力を借りなくても）、通気層に溜まった湿気を、外気に通じる孔や切欠きから排気させることができる。
さらに、金属板裏面の結露の発生も抑制することができる。
【００２２】
なぜ通気層に溜まった湿気を、通気が少なくても、孔や切欠きから排気させることができるかについては、湿気は、例え通気が少なくても、蒸気圧の高い方から低い方に移動するという拡散現象で説明することができる。
つまり、湿気は、温かいところから冷たい方へ、湿気の多い所から乾燥した所へ、と移動する。
よって、通気層に溜まった湿気は、外気に通じる孔や切欠きを通じて、乾燥した外気へ移動することとなる。
さらに、日差しを浴びた金属葺き屋根の通気層は暖められるため、通気層に溜まった湿気は、外気に通じる孔や切欠きを通じて、通気層より冷たい外気へ移動することとなる。
【００２３】
さらに、本発明の第１〜１３の課題解決手段は、わざわざ９ｍｍ程度以上の通気層を設け、軒から棟への長い距離にかけて、通気層に外気を流通させて湿気を取り払う「屋根通気工法」と呼ばれる工法を取り入れなくても、金属板の一部に外気に通じる孔や切欠きを設けることによって、排気させる湿気の移動距離を短く（例え長くても実質３０〜４０Ｃｍ）することができるため、例え通気が少なくても（積極的に空気の流れの力を借りなくても）、屋根に葺かれた金属板ごとに、外気に通じる孔や切欠きを通じて、通気層に溜まった湿気を排気させることができる。
【００２４】
さらに、本発明の第１〜１３の課題解決手段は、その製造に大変な加工の手間がかかる特殊な形状の屋根用資材全般を必要とすることなく、一般に普及している屋根材としての金属板に最小限の加工の手間を施すことにより、通気層に溜まった湿気を簡易に排気させることができる。
【００２５】
加えて、本発明の第４の課題解決手段は、金属板の裏面に断熱材が設けられたことにより、屋根面を通じて、屋外から屋内への、及び屋内から屋外への断熱効果が得られる。
【００２６】
加えて、本発明の第５の課題解決手段は、通常、金属板の裏面に断熱材が設けられた場合は、通気層が狭いものとなるが、断熱材に、屋根下地材側に向けた複数の凸体が、点状に、又は軒棟方向に連続して、設けられたことにより、その分だけ通気層が広くなることから、湿気がより移動し易くなり、通気層に溜まった湿気を、外気に通じる孔や切欠きから、いっそう簡易に排気させることができる。
【００２７】
加えて、本発明の第６の課題解決手段は、通常、金属板の裏面に断熱材が設けられた場合は、通気層が狭いものとなるが、野地板上に敷かれたルーフィングからなる屋根下地材の表面に複数の凸体が、点状に、又は軒棟方向に連続して、設けられたことにより、その分だけ通気層が広くなることから、湿気がより移動し易くなり、通気層に溜まった湿気を、外気に通じる孔や切欠きから、いっそう簡易に排気させることができる。
【００２８】
加えて、本発明の第７の課題解決手段は、通常、金属板の裏面に断熱材が設けられた場合は、通気層が狭いものとなるが、野地板上に敷かれたルーフィングからなる屋根下地材上に、結び目を備えた網が敷かれた場合には、金属板が網に支持されることにより、その分だけ通気層が広くなると同時に、結び目と結び目ではない箇所とによって、網が凹凸状のシートとなり、その凹凸が形成する隙間を通じて、湿気がより移動し易くなり、通気層に溜まった湿気を、外気に通じる孔や切欠きから、いっそう簡易に排気させることができる。
【００２９】
加えて、本発明の第８の課題解決手段は、通常、金属板の裏面に断熱材が設けられた場合は、通気層が狭いものとなるが、野地板上に敷かれたルーフィングからなる屋根下地材上に、網が敷かれた場合には、金属板が網に支持されることにより、その分だけ通気層が広くなると同時に、網の素材が、多孔質構造である不織布からなるものであることから、通気性に富み、より湿気が移動し易くなり、通気層に溜まった湿気を、外気に通じる孔や切欠きから、よりいっそう簡易に排気させることができる。
【００３０】
加えて、本発明の第１０の課題解決手段は、一方の金属板の嵌め込み用凹部との間に隙間を設けて、孔が設けられた場所を覆うためのカバーを、一方の金属板の嵌め込み用凹部に取り付けたことにより、通気層に溜まった湿気を、隙間を介して外気に通じる孔から排気させることができると同時に、孔を隠すことにより、外観上の美観を損ねることがない。
さらに、葉、塵などの飛来物や雨水などを、孔から侵入させることを防ぐことができる。
【００３１】
加えて、本発明の第１１の課題解決手段は、通常の野地板上に敷かれたルーフィングからなる屋根下地材の場合は、通気層が狭いものとなるが、屋根下地材の表面に複数の凸体が点状に設けられた場合には、金属板が複数の凸体に支持されることにより、その分だけ通気層が広くなることから、湿気がより移動し易くなり、通気層に溜まった湿気を、外気に通じる孔から、いっそう簡易に排気させることができる。
【００３２】
加えて、本発明の第１２の課題解決手段は、通常の野地板上に敷かれたルーフィングからなる屋根下地材の場合は、通気層が狭いものとなるが、屋根下地材上に、結び目を備えた網が敷かれた場合には、金属板が網に支持されることにより、その分だけ通気層が広くなると同時に、結び目と結び目ではない箇所とによって、網が凹凸状のシートとなり、その凹凸が形成する隙間を通じて、湿気がより移動し易くなり、通気層に溜まった湿気を、外気に通じる孔から、いっそう簡易に排気させることができる。
【００３３】
加えて、本発明の第１３の課題解決手段は、通常の野地板上に敷かれたルーフィングからなる屋根下地材の場合は、通気層が狭いものとなるが、屋根下地材上に、網が敷かれた場合には、金属板が網に支持されることにより、その分だけ通気層が広くなると同時に、網の素材が、多孔質構造である不織布からなるものであることから、通気性に富み、より湿気が移動し易くなり、通気層に溜まった湿気を、外気に通じる孔から、よりいっそう簡易に排気させることができる。
【図面の簡単な説明】
【００３４】
【図１】本発明の実施の形態１の金属板横葺き屋根の一部の斜視図
【図２】本発明の実施の形態１の金属板の斜視図
【図３】本発明の実施の形態１の金属板同士を嵌め込む際の部分拡大説明図（ａ）及び（ｂ）
【図４】本発明の別の実施の形態１の部分拡大説明図
【図５】本発明の実施の形態２の部分拡大説明図
【図６】本発明の実施の形態２の金属板の部分拡大平面図（ａ）、（ｂ）、及び（ｃ）
【図７】本発明の実施の形態３の部分拡大説明図
【図８】本発明の実施の形態３を基にした別の形態の部分拡大説明図（ａ）及び（ｂ）
【図９】本発明の実施の形態３を基にした更に別の形態の部分拡大説明図（ａ）及び（ｂ）
【図１０】本発明の実施の形態３を基にしたまた更に別の形態の部分拡大説明図
【図１１】本発明の実施の形態４の金属板縦葺き屋根の一部の斜視図
【図１２】本発明の実施の形態４の金属板の斜視図
【図１３】本発明の実施の形態４の金属板同士を嵌め込む際の部分拡大説明図
【図１４】本発明の実施の形態４の部分拡大説明図
【図１５】本発明の実施の形態４を基にした別の形態の部分拡大説明図
【図１６】本発明の実施の形態４を基にした更に別の形態の部分拡大説明図
【図１７】本発明の実施の形態４を基にしたまた更に別の形態の部分拡大説明図
【発明を実施するための形態】
【００３５】
本発明の実施の形態１の金属板葺き屋根１０を以下のとおり説明する（図１〜３参照）。
【００３６】
金属板葺き屋根１０は、一般に普及している屋根材である塗装済みのアルミニウム・亜鉛合金めっき鋼板からなる金属板１２を複数枚連結し、野地板上に敷かれたルーフィングからなる屋根下地材２２の上に、軒から棟の方向に対する直交方向に横葺きに葺いたものである。
なお、横葺きには、平葺きと段葺きとがある。
また、金属板１２は、一般に普及している屋根材である金属板であればどのようなものであっても良い。
【００３７】
金属板１２は、主に、軒側に配置する一端に水平方向に設けられた嵌め込み用凸部１４と、棟側に配置する他端寄りに水平方向に設けられた嵌め込み用凹部１６と、嵌め込み用凸部１４と嵌め込み用凹部１６との間にある平面部１５と、が屋根材として加工されて設けられたものである。
なお、嵌め込み用凸部１４と嵌め込み用凹部１６とは、互いに対向した位置に設けられている。
また、嵌め込み用凹部１６は、水平方向に奥に進むにつれて、狭い空間となるように設けられている。
【００３８】
複数の金属板１２は、互いに、一方の金属板１２の嵌め込み用凸部１４の先端部１８を他方の金属板１２ａの嵌め込み用凹部１６の最奥部２０まで水平方向に嵌め込み、一方の金属板１２の嵌め込み用凸部１４の先端部１８と他方の金属板１２ａの嵌め込み用凹部１６の最奥部２０とを接触させ、連結し、屋根下地材２２上に固定される。
これにより、通常は、互いに連結された複数の金属板１２と屋根下地材２２との間の空間である通気層２６が、ほぼ気密状態となる。
【００３９】
なお、その際には、他方の金属板１２ａの嵌め込み用凹部１６の更に棟側に位置する端部が、等間隔で、屋根下地材２２上にビス２４によって固定される。
また、嵌め込み用凸部１４の形状と嵌め込み用凹部１６の形状は、互いに水平方向に嵌め込みが可能な凸形状と凹形状のものであれば、部分的に変形箇所があるなど、どのようなものであっても良い。
【００４０】
しかし、上記の通り、通常は通気層２６が、ほぼ気密状態となるものの、複数の金属板１２を互いに連結する際に、予め、一方の金属板１２の嵌め込み用凸部１４の長手方向の一部となる、所定の間隔の複数箇所に、外気に通じる孔３４を加工して設け、連結することによって、例え通気が少なくても、通気層２６に溜まった湿気を、外気に通じる孔３４から、矢印Ｃで表すように、排気させることができる。
さらに、金属板１２の裏面の結露の発生も抑制することができる。
【００４１】
なお、孔３４は、垂直方向に、一方の金属板１２の嵌め込み用凸部１４と他方の金属板１２ａの嵌め込み用凹部１６の上部２８とが重なる部分Ｂの範囲に設けられたものである。
これにより、孔３４が外観上隠れることにより、美観を損ねることがない。
また、塵、葉などの飛来物や雨水などが、直接、孔３４を通じて通気層２６へ侵入することがない。
【００４２】
さらに、孔３４を、部分Ｂの範囲に設けた際には、例え、雨水が金属板１２の表面から下に伝って流れ落ちた場合でも、屋根の勾配と、水返しの役割を同時に備える嵌め込み用凸部１４との働きにより、雨水は、孔３４から侵入することなく、金属板１２の表面を伝って、屋根面の下へ下へと流れ落ち、やがては雨樋を通じて排水されることとなる。
【００４３】
なお、孔３４は、嵌め込み用凸部１４を構成する部分Ｄの範囲のいずれかの箇所に設ければ良い。
さらに、孔３４を、部分Ｄの範囲における、部分Ｂの範囲を除いた部分Ｆの範囲に設けた場合には、部分Ｂの範囲に設けた場合と比べ、孔３４が、より外気に通じやすい箇所に近くなるため、例え通気が少なくても、通気層２６に溜まった湿気を、矢印Ｃで表すように、いっそう排気させることができる（図４参照）。
【００４４】
なお、野地板上に敷かれたルーフィングからなる屋根下地材２２には、透湿性のものと非透湿性のものとがあるが、透湿性の屋根下地材２２の場合には、屋内から野地板を通じて通気層２６に上がってきた湿気を、より排気させることができる。
【００４５】
また、孔３４の形状は、平面視において、丸状、四角状、三角状、星状など、どの様な形状であっても良い。
なお、孔３４を設ける箇所は、所定の間隔の複数箇所に限られず、長手方向の嵌め込み用凸部１４の任意の一部で構わない。
【００４６】
本発明の実施の形態２の金属板葺き屋根１０を以下のとおり説明する（図５、６参照）。
【００４７】
本発明の実施の形態２の金属板葺き屋根１０は、本発明の実施の形態１の金属板葺き屋根１０において、一方の金属板１２の嵌め込み用凸部１４の一部に、外気に通じる孔３４を加工して設けたのではなく、複数の金属板１２を互いに連結する際に、予め、一方の金属板１２の嵌め込み用凸部１４の先端部１８の一部となる、所定の間隔の複数箇所に、他方の金属板１２ａの嵌め込み用凹部１６の最奥部２０に対向した、切欠き３０を設けた点で異なるものである。
このため、本発明の実施の形態１の金属板葺き屋根１０と共通する部分の説明は省略し、更に共通する部分の符号は同じ符号を使用する。
【００４８】
一方の金属板１２の嵌め込み用凸部１４の先端部１８の一部に切欠き３０を設けたことにより、一方の金属板１２の嵌め込み用凸部１４の先端部１８を他方の金属板１２ａの嵌め込み用凹部１６の最奥部２０まで水平方向に嵌め込み、一方の金属板１２の嵌め込み用凸部１４の先端部１８と他方の金属板１２ａの嵌め込み用凹部１６の最奥部２０とを接触させた際には、一方の金属板１２の嵌め込み用凸部１４の先端部１８と他方の金属板１２ａの嵌め込み用凹部１６の最奥部２０との間に、切欠き３０の部分が、外気に通じる孔となって形成される。
【００４９】
これにより、例え通気が少なくても、通気層２６に溜まった湿気を、外気に通じる切欠き３０から、矢印Ｃで表すように、排気させることができる。
さらに、金属板１２の裏面の結露の発生も抑制することができる。
【００５０】
なお、切欠き３０は、平面視において、半円状３２（図６（ａ）参照）、三角状３６（図６（ｂ）参照）、四角状３８（図６（ｃ）参照）など、どのような形状のものであっても良い。
また、切欠き３０を設ける箇所は、所定の間隔の複数箇所に限られず、長手方向の嵌め込み用凸部１４の任意の一部で構わない。
【００５１】
本発明の実施の形態３の金属板葺き屋根１０を以下のとおり説明する（図７参照）。
【００５２】
本発明の実施の形態３の金属板葺き屋根１０は、本発明の実施の形態１又は２の金属板葺き屋根１０において、金属板１２の裏面に、断熱材４０を設けた点で異なるものである。
このため、本発明の実施の形態１又は２の金属板葺き屋根１０と共通する部分の説明は省略し、更に共通する部分の符号は同じ符号を使用する。
【００５３】
これにより、屋根面を通じた、屋外から屋内への、及び屋内から屋外への断熱効果が得られると同時に、例え通気が少なくても、通気層２６に溜まった湿気を、外気に通じる孔３４（又は切欠き３０）から、矢印Ｃで表すように、排気させることができる。
さらに、金属板１２の裏面の結露の発生も抑制することができる。
【００５４】
なお、断熱材は、発泡スチロールからなるものや、発泡材をアルミシートで包んだものなど多種のものがあるが、特に限定することなく、断熱効果のある素材であれば、どのようなものであっても良い。
【００５５】
さらに、本実施形態において、断熱材４０に、屋根下地材２２側に向けた複数の凸体４２、４２ａを、点状に、又は軒棟方向に連続して、設けたものとしても良い。
【００５６】
通常、金属板の裏面に断熱材が設けられた場合は、通気層２６が狭いものとなるが、断熱材４０に、断面が半円状の複数の凸体４２が点状に設けられた場合には、互いに連結された複数の金属板１２が複数の凸体４２に支持されることにより、その分だけ通気層２６が広くなることから、湿気がより移動し易くなり、通気層２６に溜まった湿気を、外気に通じる孔３４（又は切欠き３０）から、矢印Ｃで表すように、いっそう簡易に排気させることができる（図８（ａ）参照）。
さらに、金属板１２の裏面の結露の発生も抑制することができる。
【００５７】
なお、複数の凸体４２が点状に設けられている場合には、屋根下地材２２上の湿気は滞ることなく、凸体４２と凸体４２との間を移動することができる。
【００５８】
また、凸体４２の形状は、断面が、四角状、三角状など、屋根下地材２２側に突き出た凸体を成すものであればどのような形状であっても良い。
なお、複数の凸体４２の点状の配置は、任意なもので良く、整列させても良いし、互い違いに並べても良い。
【００５９】
また、複数の凸体４２ａが、軒棟方向に一体のものとして連続して、並べられて設けられている場合にも、互いに連結された複数の金属板１２が複数の凸体４２ａに支持されることにより、その分だけ通気層２６が広くなることから、湿気がより移動し易くなり、通気層２６に溜まった湿気を、外気に通じる孔３４（又は切欠き３０）から、矢印Ｃで表すように、いっそう簡易に排気させることができる（図８（ｂ）参照）。
さらに、金属板１２の裏面の結露の発生も抑制することができる。
【００６０】
なお、複数の凸体４２ａが、軒棟方向に一体のものとして連続して、並べられて設けられている場合には、屋根下地材２２上の湿気は滞ることなく、棟側から軒側への方向に移動することができる。
また、凸体４２ａの形状は、軒から棟の方向に見た断面が、半円状、四角状、三角状など、屋根下地材２２側に突き出た凸体を成すものであればどのような形状であっても良い。
【００６１】
さらに、その他、断熱材４０に、屋根下地材２２側に向けた複数の凸体４２、４２ａを、点状に、又は軒棟方向に連続して、設けたものに換えて、屋根下地材２２を、その表面に複数の凸体４４、４４ａを、点状に、又は軒棟方向に連続して、設けたものとしても良い。
【００６２】
通常、金属板の裏面に断熱材が設けられた場合は、通気層２６が狭いものとなるが、屋根下地材２２に、断面が四角状の複数の凸体４４が点状に設けられた場合には、互いに連結された複数の金属板１２が複数の凸体４４に支持されることにより、その分だけ通気層２６が広くなることから、湿気がより移動し易くなり、通気層２６に溜まった湿気を、外気に通じる孔３４（又は切欠き３０）から、矢印Ｃで表すように、いっそう簡易に排気させることができる（図９（ａ）参照）。
さらに、金属板１２の裏面の結露の発生も抑制することができる。
【００６３】
なお、複数の凸体４４が点状に設けられている場合には、屋根下地材２２上の湿気は滞ることなく、凸体４４と凸体４４との間を移動することができる。
【００６４】
また、凸体４４の形状は、断面が、半円状、三角状など、上方に突き出た凸体を成すものであればどのような形状であっても良い。
なお、複数の凸体４４の点状の配置は、任意なもので良く、整列させても良いし、互い違いに並べても良い。
【００６５】
また、複数の凸体４４ａが、軒棟方向に一体のものとして連続して、並べられて設けられている場合にも、互いに連結された複数の金属板１２が複数の凸体４４ａに支持されることにより、その分だけ通気層２６が広くなることから、湿気がより移動し易くなり、通気層２６に溜まった湿気を、外気に通じる孔３４（又は切欠き３０）から、矢印Ｃで表すように、いっそう簡易に排気させることができる（図９（ｂ）参照）。
さらに、金属板１２の裏面の結露の発生も抑制することができる。
【００６６】
なお、複数の凸体４４ａが、軒棟方向に一体のものとして連続して、並べられて設けられている場合には、屋根下地材２２上の湿気は滞ることなく、棟側から軒側への方向に移動することができる。
また、凸体４４ａの形状は、軒から棟の方向に見た断面が、半円状、四角状、三角状など、上方に突き出た凸体を成すものであればどのような形状であっても良い。
【００６７】
さらに、その他、屋根下地材２２側に向けた複数の凸体４２、４２ａを、点状に、又は軒棟方向に連続して、設けた断熱材４０や、表面に複数の凸体４４、４４ａを、点状に、又は軒棟方向に連続して、設けた屋根下地材２２に換えて、通常の屋根下地材２２上に、結び目４１を備えた網４３を敷いたものとしても良い（図１０参照）。
【００６８】
屋根下地材２２上に、結び目４１を備えた網４３を敷いた場合には、互いに連結された複数の金属板１２が網４３に支持されることにより、その分だけ通気層２６が広くなることから、湿気がより移動し易くなり、通気層２６に溜まった湿気を、外気に通じる孔３４（又は切欠き３０）から、矢印Ｃで表すように、いっそう簡易に排気させることができる。
さらに、金属板１２の裏面の結露の発生も抑制することができる。
【００６９】
加えて同時に、結び目４１と結び目４１ではない箇所とによって、網４３が凹凸状のシートとなり、その凹凸が形成する隙間４５を通じて、湿気は滞ることなく移動することができる。
【００７０】
また、網４３は、網４３自体が凹凸状のシートとなるように、結び目４１に相当する部分を備えているものであれば、一般に普及しているどのような網であっても良い。
なお、網４３の素材は、化学繊維や不織布など、どのようなものであっても良い。
【００７１】
さらに、その他、上記の結び目４１を備えた網４３に換えて、屋根下地材上に、不織布からなる網を敷いたものとしても良い（図示しない）。
不織布からなる網とした場合には、互いに連結された複数の金属板が網に支持されることにより、その分だけ通気層が広くなるほか、不織布が多孔質構造であることから、網自体が通気性に富んだものとなって、湿気がより移動し易くなり、通気層に溜まった湿気を、外気に通じる孔（又は切欠き）から、いっそう簡易に排気させることができる。
さらに、金属板の裏面の結露の発生も抑制することができる。
【００７２】
本発明の実施の形態４の金属板葺き屋根４６を以下のとおり説明する（図１１〜１４参照）。
【００７３】
金属板葺き屋根４６は、一般に普及している屋根材である塗装済みのアルミニウム・亜鉛合金めっき鋼板からなる金属板４８を複数枚連結し、野地板上に敷かれたルーフィングからなる屋根下地材７８の上に、軒から棟の方向に縦葺きに葺いたものである。
なお、縦葺きには、立平葺きと瓦棒葺きとがあり、更に立平葺きには、嵌合式と馳（ハゼ）式とがあり、本実施形態は、嵌合式の立平葺きである。
また、金属板４８は、一般に普及している屋根材である金属板であればどのようなものであっても良い。
【００７４】
金属板４８は、主に、一端に垂直方向に設けられた嵌め込み用凹部６０と、他端に垂直方向に設けられた嵌め込み用凸部７２と、嵌め込み用凹部６０と嵌め込み用凸部７２との間にある平面部６１と、が屋根材として加工されて設けられたものである。
なお、嵌め込み用凹部６０と嵌め込み用凸部７２とは、互いに勘合可能な形状に設けられ、かつ、対向した位置に設けられている。
【００７５】
嵌め込み用凹部６０は、頭頂部５０と、頭頂部５０から両側の下方に続く側面部５２、５２ａと、一側の側面部５２の下方に続く第一のくびれ部５４と他側の側面部５２ａの下方に続く第二のくびれ部５６とを備え、かつ、第一のくびれ部５４から更に下方に伸びた第一の水返し部５８とを備えた略楔形のものである。
【００７６】
嵌め込み用凸部７２は、頭頂部６２と、頭頂部６２から両側の下方に続く側面部６４、６４ａと、一側の側面部６４の下方に続く第三のくびれ部６６と他側の側面部６４ａの下方に続く第四のくびれ部６８とを備えた略楔形であり、かつ、第四のくびれ部６８から更に下方に直角線状に伸びた第二の水返し部７０とを備えたものである。
【００７７】
複数の金属板４８は、互いに、一方の金属板４８の嵌め込み用凹部６０を他方の金属板４８ａの嵌め込み用凸部７２に垂直方向に嵌め込み、一方の金属板４８の嵌め込み用凹部６０の第一のくびれ部５４と他方の金属板４８ａの嵌め込み用凸部７２の第三のくびれ部６６とを互いに密着させると同時に、一方の金属板４８の嵌め込み用凹部６０の第二のくびれ部５６と他方の金属板４８ａの嵌め込み用凸部７２の第四のくびれ部６８とを互いに密着させ、更に一方の金属板４８の裏側７４と他方の金属板４８ａの第二の水返し部７０の上部７６とを密着させ、連結することよって、屋根下地材７８上にビス留めされて固定される。
【００７８】
これにより、通常は、互いに連結された複数の金属板４８と屋根下地材７８との間の空間である通気層８０が、ほぼ気密状態となる。
なお、一方の金属板４８の裏側７４に対して、他方の金属板４８ａの第二の水返し部７０の上部７６を、近接させて配置しても良い。
【００７９】
また、一方の金属板４８の第一のくびれ部５４と他方の金属板４８ａの第三のくびれ部６６との密着、及び一方の金属板４８の第二のくびれ部５６と他方の金属板４８ａの第四のくびれ部６８との密着は、金属板自体が持つ弾性力を利用した密着させるための形状加工や、金属板の加工によるスプリングバック（材料を曲げ加工したとき、工具を離すと、材料に施した変形が若干もとに戻る現象。「デジタル大辞泉」より。）を利用したものである。
【００８０】
しかし、上記の通り、通常は通気層８０が、ほぼ気密状態になるものの、複数の金属板４８を互いに連結する際に、予め、一方の金属板４８の嵌め込み用凹部６０の両側面部５２、５２ａにそれぞれ孔８２、８２ａを加工して設けると同時に、他方の金属板４８ａの嵌め込み用凸部７２の頭頂部６２に孔８４を加工して設け、連結することによって、例え通気が少なくても、通気層８０に溜まった湿気を、孔８４と、外気に通じる孔８２及び８２ａとを通じて、矢印Ｅで表すように、排気させることができる。
さらに、金属板４８の裏面の結露の発生も抑制することができる。
【００８１】
なお、野地板上に敷かれたルーフィングからなる屋根下地材７８には、透湿性のものと非透湿性のものとがあるが、透湿性の屋根下地材７８の場合には、屋内から野地板を通じて通気層８０に上がってきた湿気を、より排気させることができる。
【００８２】
また、雨水が、直接、一方の金属板４８の嵌め込み用凹部６０の孔８２、８２ａから侵入した場合においても、侵入した雨水は、一方の金属板４８の第一のくびれ部５４と他方の金属板４８ａの第三のくびれ部６６との密着部分、又は一方の金属板４８の第二のくびれ部５６と他方の金属板４８ａの第四のくびれ部６８との密着部分で堰き止められるため、通気層８０への侵入はほとんどない。
【００８３】
仮に、侵入した雨水が、一方の金属板４８の第一のくびれ部５４と他方の金属板４８ａの第三のくびれ部６６との密着部分、又は一方の金属板４８の第二のくびれ部５６と他方の金属板４８ａの第四のくびれ部６８との密着部分から漏れ出した場合においても、第一の水返し部５８を伝って外側に排気されるか、又は第二の水返し部７０にて堰き止められ、屋根の下へ下へと流れ落ち、やがては雨樋を通じて排水されることとなるため、通気層８０への侵入はほとんどない。
【００８４】
また、孔は、通気層８０に溜まった湿気を排気させることができるように、少なくとも、一方の金属板４８の嵌め込み用凹部６０の頭頂部５０から両側の下方に続く側面部５２、５２ａにかけた任意の場所に一つ以上、他方の金属板４８ａの嵌め込み用凸部７２の頭頂部６２から両側の下方に続く側面部６４、６４ａにかけた任意の場所に一つ以上設ければ良く、孔の数に上限はない。
【００８５】
さらに、本実施形態において、一方の金属板４８の嵌め込み用凹部６０の孔８２、８２ａが設けられた場所を覆うためのカバー８６を、一方の金属板４８の嵌め込み用凹部６０との間に隙間８８を設けて、一方の金属板４８の嵌め込み用凹部６０に、取付部材９０を介して取り付けたものとしても良い（図１５参照）。
【００８６】
一方の金属板４８の嵌め込み用凹部６０との間に隙間８８を設けてカバー８６を取り付けることにより、通気層８０に溜まった湿気を、隙間８８を介して、孔８４と、外気に通じる孔８２及び８２ａとを通じて、矢印Ｅで表すように、排気させることができると同時に、孔８２、８２ａを隠すことにより、外観上の美観を損ねることがない。
さらに、葉、塵などの飛来物や雨水などを、外気に通じる孔８２、８２ａから侵入させることを防ぐことができる。
【００８７】
なお、一方の金属板４８の嵌め込み用凹部６０に対するカバー８６の取り付け方法については、一方の金属板４８の嵌め込み用凹部６０との間に隙間８８を設けてカバー８６を取り付けることができるのであれば、どのような取り付け方法でも良い。
【００８８】
また、カバー８６の形状は、一方の金属板４８の嵌め込み用凹部６０との間に隙間８８を設けて、一方の金属板４８の嵌め込み用凹部６０の孔８２、８２ａが設けられた場所を覆うことができるものであれば、どのような形状であっても良い。
【００８９】
さらに、その他、屋根下地材７８を、その表面に、断面が四角状の複数の凸体９２を点状に設けたものとしても良い（図１６参照）。
通常の屋根下地材の場合は、通気層８０が狭いものとなるが、屋根下地材７８の表面に複数の凸体９２が点状に設けられた場合には、互いに連結された複数の金属板４８が複数の凸体９２に支持されることにより、その分だけ通気層８０が広くなることから、湿気がより移動し易くなり、通気層８０に溜まった湿気を、孔８４と、外気に通じる孔８２及び８２ａとを通じて、矢印Ｅで表すように、いっそう簡易に排気させることができる。
さらに、金属板４８の裏面の結露の発生も抑制することができる。
なお、複数の凸体９２は点状に設けられているため、屋根下地材７８上の湿気は滞ることなく、凸体９２と凸体９２との間を移動することができる。
【００９０】
さらに、凸体９２の形状は、断面が、半円状、三角状など、上方に突き出た凸体を成すものであればどのような形状であっても良い。
なお、複数の凸体９２の点状の配置は、任意なもので良く、整列させても良いし、互い違いに並べても良い。
【００９１】
さらに、その他、上記の表面に複数の凸体９２を点状に設けた屋根下地材７８に換えて、通常の屋根下地材７８上に、結び目９４を備えた網９６を敷いたものとしても良い（図１７参照）。
屋根下地材７８上に、結び目９４を備えた網９６を敷いた場合には、互いに連結された複数の金属板４８が網９６に支持されることにより、その分だけ通気層８０が広くなることから、湿気がより移動し易くなり、通気層８０に溜まった湿気を、孔８４と、外気に通じる孔８２及び８２ａとを通じて、矢印Ｅで表すように、いっそう簡易に排気させることができる。
さらに、金属板４８の裏面の結露の発生も抑制することができる。
【００９２】
加えて同時に、結び目９４と結び目９４ではない箇所とによって、網９６が凹凸状のシートとなり、その凹凸が形成する隙間９８を通じて、湿気は滞ることなく移動することができる。
【００９３】
また、網９６は、網９６自体が凹凸状のシートとなるように、結び目９４に相当する部分を備えているものであれば、一般に普及しているどのような網であっても良い。
なお、網９６の素材は、化学繊維や不織布など、どのようなものであっても良い。
【００９４】
さらに、その他、上記の結び目９４を備えた網９６に換えて、屋根下地材上に、不織布からなる網を敷いたものとしても良い（図示しない）。
不織布からなる網とした場合には、互いに連結された複数の金属板が網に支持されることにより、その分だけ通気層が広くなるほか、不織布が多孔質構造であることから、網自体が通気性に富んだものとなって、湿気がより移動し易くなり、通気層に溜まった湿気を、外気に通じる孔等を通じて、いっそう簡易に排気させることができる。
さらに、金属板４８の裏面の結露の発生も抑制することができる。
【符号の説明】
【００９５】
１０  金属板葺き屋根（横葺き）
１２  金属板（一方）
１２ａ  金属板（他方）
１４  嵌め込み用凸部
１５  平面部
１６  嵌め込み用凹部
１８  先端部
２０  最奥部
２２  屋根下地材
２４  ビス
２６  通気層
２８  上部（嵌め込み用凹部）
３０  切欠き
３２  切欠き
３４  孔
３６  切欠き
３８  切欠き
４０  断熱材
４１  結び目
４２  凸体（点状）
４２ａ  凸体（軒棟方向）
４３  網
４４  凸体（点状）
４４ａ  凸体（軒棟方向）
４５  隙間
４６  金属板葺き屋根（縦葺き）
４８  金属板（一方）
４８ａ  金属板（他方）
５０  頭頂部（嵌め込み用凹部）
５２  側面部（一側）
５２ａ  側面部（他側）
５４  第一のくびれ部
５６  第二のくびれ部
５８  第一の水返し部
６０  嵌め込み用凹部
６１  平面部
６２  頭頂部（嵌め込み用凸部）
６４  側面部（一側）
６４ａ  側面部（他側）
６６  第三のくびれ部
６８  第四のくびれ部
７０  第二の水返し部
７２  嵌め込み用凸部
７４  裏側
７６  上部（第二の水返し部）
７８  屋根下地材
８０  通気層
８２  孔（嵌め込み用凹部）
８２ａ  孔（嵌め込み用凹部）
８４  孔（嵌め込み用凸部）
８６  カバー
８８  隙間
９０  取付部材
９２  凸体
９４  結び目
９６  網
９８  隙間
Ｂ  部分
Ｃ  矢印
Ｄ  部分
Ｅ  矢印
Ｆ  部分
【図１】
2020200667.tif 000003
【図２】
2020200667.tif 000004
【図３】
2020200667.tif 000005
【図４】
2020200667.tif 000006
【図５】
2020200667.tif 000007
【図６】
2020200667.tif 000008
【図７】
2020200667.tif 000009
【図８】
2020200667.tif 000010
【図９】
2020200667.tif 000011
【図１０】
2020200667.tif 000012
【図１１】
2020200667.tif 000013
【図１２】
2020200667.tif 000014
【図１３】
2020200667.tif 000015
【図１４】
2020200667.tif 000016
【図１５】
2020200667.tif 000017
【図１６】
2020200667.tif 000018
【図１７】
2020200667.tif 000019